(57)【要約】【課題】電池の交換および電源系統のメンテナンスを容易とする電動遮光装置を提供する。【解決手段】駆動装置を備える上方フレームと、前記駆動装置に電力を供給する電池を備える下方フレームとを有することを特徴とする電動縦開き型遮光装置。更に具体的には伝動シャフトを回動させる駆動装置と、前記駆動装置に電力を供給する電源と、前記駆動装置を備える上方フレームと、前記電源を備える下方フレームと、略水平に吊設され貫通孔を穿設された複数の羽根板と、前記貫通孔を挿通して前記伝動シャフトに巻き取り駆動され、前記羽根板を昇降させるとともに前記電力を前記駆動装置に供給する導電伝動ケーブルと、前記伝動シャフトにて前記導電伝動ケーブルと同期して巻き取り駆動され、前記羽根板を昇降させる伝動ケーブルとを備える電動横型ブラインド。【選択図】図１
2006194052.tif 000002
【特許請求の範囲】
【請求項１】
駆動装置を備える上方フレームと、
前記駆動装置に電力を供給する電源を備える下方フレームと
を有することを特徴とする電動縦開き型遮光装置。
【請求項２】
前記電源が、電池または充電式電池である請求項１記載の電動縦開き型遮光装置。
【請求項３】
前記遮光装置が、ローマンシェード、ロールスクリーン、プリーツスクリーン、または横型ブラインドである請求項１または２に記載の電動縦開き型遮光装置。
【請求項４】
伝動シャフトを回動させる駆動装置と、
前記駆動装置に電力を供給する電源と、
前記駆動装置を備える上方フレームと、
前記電源を備える下方フレームと、
略水平に吊設され貫通孔を穿設された複数の羽根板と、
前記貫通孔を挿通して前記伝動シャフトに巻き取り駆動され、前記羽根板を昇降させるとともに前記電力を前記駆動装置に供給する導電伝動ケーブルと、
前記伝動シャフトにて前記導電伝動ケーブルと同期して巻き取り駆動され、前記羽根板を昇降させる伝動ケーブルと
を備える電動横型ブラインド。
【請求項５】
前記導電伝動ケーブルが、導電ケーブルと伝動ケーブルを組み合わせてなる請求項４記載の電動横型ブラインド。
【請求項６】
伝動シャフトを回動させる駆動装置と、
前記駆動装置に電力を供給する電源と、
前記駆動装置を備える上方フレームと、
前記電源を備える下方フレームと、
略水平に吊設され貫通孔を穿設された複数の羽根板と、
前記貫通孔を挿通して前記伝動シャフトに巻き取り駆動され、前記羽根板を昇降させる伝動ケーブルと、
前記伝動シャフトにて前記伝動ケーブルと同期して巻き取り駆動される、前記電力を前記駆動装置に供給する導電ケーブルと
を備える電動横型ブラインド。
【請求項７】
伝動シャフトを回動させる駆動装置と、
前記駆動装置に電力を供給する電源と、
上方フレームと、
前記駆動装置および前記電源を備える下方フレームと、
略水平に吊設され貫通孔を穿設された複数の羽根板と、
前記貫通孔を挿通して前記伝動シャフトと前記上方フレームを連結し、前記伝動シャフトに巻き取り駆動されて前記羽根板を昇降させる伝動ケーブルと
を備える電動横型ブラインド。
【請求項８】
前記電源が電池または充電式電池である請求項４から７のいずれか１項に記載の電動横型ブラインド。
【発明の詳細な説明】
【技術分野】
【０００１】
本発明は電動式の縦開き型遮光装置に関し、特に電池を快速に交換でき、故障になったときの保全も便利になる電動横型ブラインドに関する。
【背景技術】
【０００２】
一般に電動カーテンや電動ブラインドは電源ソケットのない窓に設置されるため、これら電動遮光装置が電線を延長して電源（コンセント）に接続すれば外観が悪くなる。また窓とコンセントとの位置関係によっては電線の配線が困難な場合も多く、電動遮光装置自身が電池式の電源を備えることが望まれている。
【０００３】
これら電動遮光装置の昇降駆動装置は上方フレーム内に設置されることが一般的であり、電力を供給するための電池もこれに伴って上方フレーム内に設置されることが多い。
【０００４】
例えば先行文献１(特許文献１：特開２００４−１９２８７号公報)には、トップレールの外壁に電池の収納室を形成した電動ブラインドに関する発明が記載されている。
【特許文献１】特開２００４−１９２８７号公報
【発明の開示】
【発明が解決しようとする課題】
【０００５】
しかしながら、電池は消耗品であり、頻繁に交換することが必要であるので、上方フレームに収納された電池を交換することは使用者にとって極めて不便である。また、一般に上方フレームは窓の上方に位置し、極めて高い箇所に設置されるため、使用者は容易に電池を交換することはできずハシゴなどを使用することが必要となる。これは極めて不便であり、また電動遮光装置の電源系統が故障した場合にも全体を取り外さなければ修理ができないという不都合があった。
【０００６】
そこで本発明では、電池の交換および電源系統のメンテナンスを容易とする電動遮光装置を提供することを目的とする。
【課題を解決するための手段】
【０００７】
上記課題を解決するためになされた本願の発明は、上方フレームの駆動装置に連結されて電力を供給する電源を下方フレームに設置することを特徴とする電動遮光装置であることを要旨としている。
【０００８】
すなわち本発明によれば、
（１）駆動装置を備える上方フレームと、
前記駆動装置に電力を供給する電源を備える下方フレームと
を有することを特徴とする電動縦開き型遮光装置
が提供される。
【０００９】
また本発明はその具体的な実施の形態として、以下の各関連発明もあわせて提供するものである。
（２）前記電源が、電池または充電式電池である(１)記載の電動縦開き型遮光装置。
【００１０】
（３）前記遮光装置が、ローマンシェード、ロールスクリーン、プリーツスクリーン、または横型ブラインドである(１)または(２)に記載の電動縦開き型遮光装置。
【００１１】
（４）伝動シャフトを回動させる駆動装置と、
前記駆動装置に電力を供給する電源と、
前記駆動装置を備える上方フレームと、
前記電源を備える下方フレームと、
略水平に吊設され貫通孔を穿設された複数の羽根板と、
前記貫通孔を挿通して前記伝動シャフトに巻き取り駆動され、前記羽根板を昇降させるとともに前記電力を前記駆動装置に供給する導電伝動ケーブルと、
前記伝動シャフトにて前記導電伝動ケーブルと同期して巻き取り駆動され、前記羽根板を昇降させる伝動ケーブルと
を備える電動横型ブラインド。
【００１２】
（５）前記導電伝動ケーブルが、導電ケーブルと伝動ケーブルを組み合わせてなる(４)記載の電動横型ブラインド。
【００１３】
（６）伝動シャフトを回動させる駆動装置と、
前記駆動装置に電力を供給する電源と、
前記駆動装置を備える上方フレームと、
前記電源を備える下方フレームと、
略水平に吊設され貫通孔を穿設された複数の羽根板と、
前記貫通孔を挿通して前記伝動シャフトに巻き取り駆動され、前記羽根板を昇降させる伝動ケーブルと、
前記伝動シャフトにて前記伝動ケーブルと同期して巻き取り駆動される、前記電力を前記駆動装置に供給する導電ケーブルと
を備える電動横型ブラインド。
【００１４】
（７）伝動シャフトを回動させる駆動装置と、
前記駆動装置に電力を供給する電源と、
上方フレームと、
前記駆動装置および前記電源を備える下方フレームと、
略水平に吊設され貫通孔を穿設された複数の羽根板と、
前記貫通孔を挿通して前記伝動シャフトと前記上方フレームを連結し、前記伝動シャフトに巻き取り駆動されて前記羽根板を昇降させる伝動ケーブルと
を備える電動横型ブラインド。
【００１５】
（８）前記電源が電池または充電式電池である(４)から(７)のいずれか１項に記載の電動横型ブラインド。
【発明の効果】
【００１６】
本発明に係る電動縦開き型遮光装置によれば、次のような効果がある。
（イ）電動縦開き型遮光装置の下方フレーム内には少なくとも駆動装置を駆動するための電源が設置され、すなわち、下方フレーム内に電池ケースが設置され、導電性の導電伝動ケーブルが上方フレーム内に設置された駆動装置に接続されているため、電池を交換する場合には、電動縦開き型遮光装置の下方フレームを適当な高さまで降下させると、電池交換や電源系統のメンテナンスを容易に行うことができる。
【００１７】
（ロ）本発明に係る下方フレーム内に、電動縦開き型遮光装置の昇降を制御するための駆動装置および電源をいずれも設置し、駆動装置が下方フレームに位置する構成とする場合は、電源系統のみならず機構部品の修理や部品更新も容易に実施することができるようになる。
【００１８】
本発明は縦開き型遮光装置の下端部に電源および／または駆動機構を設けることで電池交換や電源系統のメンテナンスを容易とする発明である。特に駆動機構をも下方フレームに設ける場合、重量物が下端部に集中することとなるが、機構部品の小型軽量化や電池の高出力大容量化の進展に伴い、本発明は上記した目的の実用的な達成が可能となったものである。
【発明を実施するための最良の形態】
【００１９】
以下、添付図面を参照して本発明の好適な実施の形態を詳細に説明する。ただし本発明は以下の実施の形態または図面のみに限定されるものではない。
【００２０】
図１は、本発明にかかる電動縦開き型遮光装置の概念図である。１０は電動縦開き型遮光装置の例としての電動横型ブラインド本体である。下方フレーム４には、駆動装置２を駆動するための電池ケース２１（すなわち、電源）が設置されている。
【００２１】
電動縦開き型遮光装置は様々な方式が従来から提案されており、太陽光線などの遮蔽体が上下方向に駆動する方式の電動式装置であれば本発明を好適に適用することが可能であり、特に限定されるものではない。具体的には横型ブラインドのほか、ロールスクリーン、プリーツスクリーン、ローマンシェードなどを挙げることができる。
【００２２】
下方フレームとは、前記電動縦開き型遮光装置を展伸した際の下端部を意味し、必ずしもフレーム状の部材が設けられている場合のみを意味するものではない。例えばロールスクリーンなどの場合は下端部も比較的柔軟構造であることが一般的であるが、かかる下端部を下方フレームと呼称し、当該部に電池ケース２１を備え、上方フレームに設けられた駆動装置に電力を供給する構成とすることで本発明の目的を達成することができる。
【００２３】
導電性の導電伝動ケーブル３１は羽根板３に穿設された貫通孔３２を挿通して上方フレーム１内に挿入され、伝動シャフト２４に巻き取られる。かかる導電伝動ケーブル３１は電力を駆動装置２に供給する機能と、羽根板３を昇降駆動または回転駆動させる機能を併せ持つ。
【００２４】
図２に導電伝動ケーブル３１および羽根板３の拡大図を示す。同図では、導電性の導電ケーブル３４と、これを補強すべく一体に成形される伝動ケーブル３３を組み合わせて導電伝動ケーブル３１を構成する例が示してあるがこれに限るものではない。例えば図３の如く導電ケーブル３４と伝動ケーブル３３は２本の独立したケーブルとして別々に、またはより合わせられて導電伝動ケーブル３１を構成してもよい。更には、導電ケーブル３４自体の強度および剛性を上げることにより他のケーブルによる補強なく導電機能と羽根板の駆動機能を併せ持つ導電伝動ケーブル３１を構成することもできる。
【００２５】
駆動装置２は伝動シャフト２４を駆動して導電伝動ケーブル３１を巻き取る、または伸長する。駆動方式は特に限定されないがモーターによるのが一般的である。伝動ケーブルの巻き取りや伸長により、羽根板３の角度変更や昇降をすることができる。伝動シャフト２４に巻いてある導電伝動ケーブル３１と駆動装置の電気接点は、ローターと電気ブラシによる方式を採用してもよい。
【００２６】
電池２２又は充電式電池２３を電池ケース２１内に収納した状態が図４である。同図に示すように、電力が導電伝動ケーブル３１を通じて上方フレーム１内に設置された駆動装置２に供給される。導電伝動ケーブル３１と、伝動シャフト２４に同軸に巻き取り駆動される伝動ケーブル３３とは、前記駆動装置２により巻かれ又は緩められ、羽根板３の昇降を制御することができる。
【００２７】
また、伝動シャフト２４で巻き取るケーブルの構成としては、上述のように一本の導電伝動ケーブル３１と、導電機能を有さない一本の伝動ケーブル３３の組み合わせによる場合のほか、それぞれ電源の陰極と陽極とに接続する２本の導電伝動ケーブル３１による場合も採り得る。
【００２８】
更に、図５に示すように、導電伝動ケーブル３１を用いる替わりに導電ケーブル３４を使用してもよく、これにより、一本または複数本の伝動ケーブル３３が伝動シャフト２４に巻かれ、導電ケーブル３４が伝動シャフト２４からの引張応力を直接に受けて損壊することを回避することも好適である。
【００２９】
また本発明は図６に示すように、駆動装置２と、これに駆動される伝動シャフト２４とを電源２１とともに下方フレーム４内に設置してもよい。伝動シャフト２４に巻いてある複数の伝動ケーブル３３が下方フレーム４から羽根板３に穿設された貫通孔３２を挿通して上方フレーム１内に挿入され固定される。これにより、下方フレーム４内に設置された電池ケース内の電池２２から電力が駆動装置２に供給され、駆動装置２が伝動シャフト２４を回転させ、図７に示すように伝動シャフト２４の回転により伝動ケーブル３３が巻かれ又は緩められ、羽根板３の昇降を制御することができる。
【００３０】
かかる発明では、電源が下方フレーム４内に設置されるので、電池２２または充電式電池２３の電力が低下した場合には、電動カーテン１０にある下方フレーム４を適当な高さまで降下させると、電池を容易に交換することができる。また、電源系統のみならず機構系統が故障したときにも、下方フレーム４が高すぎる位置に止まった場合は別として、修理や部品更新を容易に実施することができるという利点がある。
【産業上の利用可能性】
【００３１】
本発明は下端部に電源を備える電動縦開き型遮光装置を提供するものである。電池の小型大容量化に伴い、外部配線を不要とするスタンドアローンな電動遮光装置に対し、更に電池交換を容易ならしめることが可能となった。電源および機構系統の軽量化を実現する発明や太陽電池の採用などと組み合わせることにより、電池寿命の延長など実用性の更なる向上に資することができる。本発明は家庭用の窓のみならず自動車のサンルーフなどへの利用も可能である。
【図面の簡単な説明】
【００３２】
【図１】本発明の斜視図である。
【図２】本発明に係る導電伝動ケーブルを示す概略図１である。
【図３】本発明に係る導電伝動ケーブルを示す概略図２である。
【図４】本発明の第一の実施の形態を表わす斜視図である。
【図５】本発明の第二の実施の形態を表わす斜視図である。
【図６】本発明の第三の実施の形態を表わす斜視図である。
【図７】第三の実施の形態の動作説明図である。
【符号の説明】
【００３３】
１        上方フレーム
２        駆動装置
３        羽根板
４        下方フレーム
１０      電動縦開き型遮光装置
２１      電源、電池ケース
２２      電池
２３      充電式電池
２４      伝動シャフト
３１      導電伝動ケーブル
３２      貫通孔
３３      伝動ケーブル
３４      導電ケーブル
【図１】
2006194052.tif 000003
【図２】
2006194052.tif 000004
【図３】
2006194052.tif 000005
【図４】
2006194052.tif 000006
【図５】
2006194052.tif 000007
【図６】
2006194052.tif 000008
【図７】
2006194052.tif 000009